【事件の表示】
　特願２００７−３２２５５２「情報処理装置」拒絶査定不服審判事件〔平成２１年　９月　３日出願公開、特開２００９−２００５３６〕について、次のとおり審決する。
【結　論】
　本件審判の請求は、成り立たない。
【理　由】
第１　経緯
１　経緯
　本願は、平成１９年１２月１３日の出願であって、平成２１年１月１５日付けで拒絶理由が通知され、これに対し、平成２１年３月２３日付けで意見書が提出されると同時に手続補正がなされたが、平成２１年４月１３日付け（発送日同年４月２１日）で拒絶査定がなされたものである
　本件は、本願についてなされた上記拒絶査定を不服として平成２１年７月２１日付けで請求された拒絶査定不服審判であって、同時に手続補正がなされたものである。
　　
２　査定の概要
　原査定の理由は、概略、次のとおりである。
　　
［査定の理由］
　請求項１〜１０に係る発明は、下記の刊行物に記載された発明に基いて、当業者が容易に発明をすることができたものであるから、特許法第２９条第２項の規定により特許を受けることができない。
　　　　　　　　　　　　　　　記
　引用文献１：特開２００７−５７５９９号公報
　引用文献２：特開２００５−１０９７０３号公報
　引用文献３：特開２００７−２８１５４４号公報
　引用文献４：特開２００７−４３５２５号公報
　引用文献５：特開２００５−１０２１８６号公報
　引用文献６：特開２００４−１７８４１０号公報
　　
第２　補正却下の決定
　平成２１年７月２１日付けの手続補正について次のとおり決定する。
 　 
［補正却下の決定の結論］
　平成２１年７月２１日付けの手続補正を却下する。
　　
［理由］
１　補正の内容
　平成２１年７月２１日付けの手続補正（以下「本件補正」という。）は、請求項１〜請求項１０についてする補正である。
　　
　補正前の請求項１〜請求項１０
「　【請求項１】
　ディスプレイと、
　映像信号を出力するコネクタと、
　前記ディスプレイ及び前記コネクタに対する映像信号の出力を制御するディスプレイドライバと、
　映像データを復号して映像信号を生成する復号手段と、
　前記復号化手段が復号した映像信号に対して画質調整処理を行う画質調整手段と、
　映像信号の出力先が前記ディスプレイであるか前記コネクタであるかに応じて、前記画質調整手段による前記映像信号の画質調整処理を切り換える切換手段と
を備え、
　前記画質調整手段は、少なくとも映像信号の出力先が前記ディスプレイである場合に映像信号に対して画質調整を行うことを特徴とする情報処理装置。
　　【請求項２】
　前記切換手段は、映像信号の出力先が前記ディスプレイである場合に、前記画質調整手段が画質調整処理を行った映像信号を前記ディスプレイに出力させ、映像信号の出力先が前記コネクタである場合に、前記画質調整手段が画質調整処理を行っていない映像信号を前記ディスプレイドライバから前記コネクタ経由で出力させることを特徴とする請求項１
記載の情報処理装置。
　　【請求項３】
　前記ディスプレイドライバは、前記映像信号の出力先が前記ディスプレイである場合に、前記映像信号を前記コネクタに出力しないことを特徴とする請求項２記載の情報処理装置。
　　【請求項４】
　前記ディスプレイドライバは、前記映像信号の出力先が前記コネクタである場合に、前記映像信号を前記ディスプレイに出力しないことを特徴とする請求項３記載の情報処理装置。
　　【請求項５】
　映像信号の出力先を検知する検知手段を更に備え、
　前記切換手段は、前記検知手段が出力先の変化を検知すると画質調整処理を切り換えることを特徴とする請求項４記載の情報処理装置。
　　【請求項６】
　前記画質調整手段は、第１の画質調整処理及び第２の画質調整処理を行い、
　前記切換手段は、映像信号の出力先が前記ディスプレイである場合に、前記画質調整手段が第１の画質調整処理を行った映像信号を前記ディスプレイに出力させ、映像信号の出力先が前記コネクタである場合に、前記画質調整手段が第２の画質調整処理を行った映像信号を前記コネクタに出力させることを特徴とする請求項１記載の情報処理装置。
　　【請求項７】
　前記コネクタが接続されている外部機器の情報を取得する外部機器情報取得手段を更に備え、
　前記切換手段は、前記外部機器情報取得手段が取得した前記外部機器の情報に応じて、前記画質調整手段が行う前記第２の画質調整処理を変化させることを特徴とする請求項６
記載の情報処理装置。
　　【請求項８】
　前記外部機器情報取得手段は、前記コネクタを介して前記外部機器と通信する制御信号として前記外部機器の情報を取得することを特徴とする請求項７記載の情報処理装置。
　　【請求項９】
　映像信号の出力先を検知する検知手段を更に備え、
　前記切換手段は、前記検知手段が出力先の変化を検知すると画質調整処理を切り換えることを特徴とする請求項８記載の情報処理装置。
　　【請求項１０】
　前記コネクタは、ＨＤＭＩ（Ｈｉｇｈ−Ｄｅｆｉｎｉｔｉｏｎ−Ｍｕｌｔｉｍｅｄｉａ　Ｉｎｔｅｒｆａｃｅ）ケーブルに取り外し自在に接続されることを特徴とする請求項９記載の情報処理装置。」
　　
を、次のとおり補正後の請求項１〜請求項１０に補正するものである。
　　
「　【請求項１】
　ディスプレイと、
　映像信号を出力するコネクタと、
　前記ディスプレイ及び前記コネクタに対する映像信号の出力を制御するディスプレイドライバと、
　映像データを復号して映像信号を生成する復号手段と、
　前記復号化手段が復号した映像信号に対して画質調整処理を行う画質調整手段と、
　映像信号の出力先が前記ディスプレイであるか前記コネクタであるか及び前記コネクタの接続している外部機器の種類に応じて、前記画質調整手段による前記映像信号の画質調整処理を切り換える切換手段と
を備え、
　前記画質調整手段は、少なくとも映像信号の出力先が前記ディスプレイである場合に映像信号に対して画質調整を行うことを特徴とする情報処理装置。
　　【請求項２】
　前記切換手段は、映像信号の出力先が前記ディスプレイである場合に、前記画質調整手段が画質調整処理を行った映像信号を前記ディスプレイに出力させ、映像信号の出力先が前記コネクタであり且つ前記コネクタの接続先が画質調整機能を有する外部機器である場合に、前記画質調整手段が画質調整処理を行っていない映像信号を前記ディスプレイドライバから前記コネクタ経由で出力させることを特徴とする請求項１記載の情報処理装置。
　　【請求項３】
　前記ディスプレイドライバは、前記映像信号の出力先が前記ディスプレイである場合に、前記映像信号を前記コネクタに出力しないことを特徴とする請求項２記載の情報処理装置。
　　【請求項４】
　前記ディスプレイドライバは、前記映像信号の出力先が前記コネクタである場合に、前記映像信号を前記ディスプレイに出力しないことを特徴とする請求項３記載の情報処理装置。
　　【請求項５】
　映像信号の出力先を検知する検知手段を更に備え、
　前記切換手段は、前記検知手段が出力先の変化を検知すると画質調整処理を切り換えることを特徴とする請求項４記載の情報処理装置。
　　【請求項６】
　前記画質調整手段は、第１の画質調整処理及び第２の画質調整処理を行い、
　前記切換手段は、映像信号の出力先が前記ディスプレイである場合に、前記画質調整手段が第１の画質調整処理を行った映像信号を前記ディスプレイに出力させ、映像信号の出力先が前記コネクタであり且つ前記コネクタの接続先が画質調整機能を有していない外部機器である場合に、前記画質調整手段が第２の画質調整処理を行った映像信号を前記コネクタに出力させることを特徴とする請求項１記載の情報処理装置。
　　【請求項７】
　前記コネクタが接続されている外部機器の情報を取得する外部機器情報取得手段を更に備え、
　前記切換手段は、前記外部機器情報取得手段が取得した前記外部機器の情報に応じて、前記画質調整手段が行う前記第２の画質調整処理を変化させることを特徴とする請求項６記載の情報処理装置。
　　【請求項８】
　前記外部機器情報取得手段は、前記コネクタを介して前記外部機器と通信する制御信号として前記外部機器の情報を取得することを特徴とする請求項７記載の情報処理装置。
　　【請求項９】
　映像信号の出力先を検知する検知手段を更に備え、
　前記切換手段は、前記検知手段が出力先の変化を検知すると画質調整処理を切り換えることを特徴とする請求項８記載の情報処理装置。
　　【請求項１０】
　前記コネクタは、ＨＤＭＩ（Ｈｉｇｈ−Ｄｅｆｉｎｉｔｉｏｎ−Ｍｕｌｔｉｍｅｄｉａ　Ｉｎｔｅｒｆａｃｅ）ケーブルに取り外し自在に接続されることを特徴とする請求項９記載の情報処理装置。」
 　 
２　補正の適合性 
（１）補正の目的 
　本件補正は、特許請求の範囲の減縮を目的とするものである。
　詳細は以下のとおりである。 
　　
ア　請求項１
　補正前の請求項１の「映像信号の出力先が前記ディスプレイであるか前記コネクタであるかに応じて」の「前記コネクタであるか」のあとに「及び前記コネクタの接続している外部機器の種類に」を加え、補正後の請求項１の「映像信号の出力先が前記ディスプレイであるか前記コネクタであるか及び前記コネクタの接続している外部機器の種類に応じて」とする補正は、特許請求の範囲の減縮に相当する。
　　
ウ　請求項２
　補正前の請求項２の「映像信号の出力先が前記コネクタである場合に」を、補正後の請求項２の「映像信号の出力先が前記コネクタであり且つ前記コネクタの接続先が画質調整機能を有する外部機器である場合に」とする補正は、特許請求の範囲の減縮に相当する。
　　
エ　請求項３〜請求項５
　請求項３〜請求項５は、直接又は間接的に特許請求の範囲の減縮に相当する請求項１、請求項２を引用するものであるので、請求項３〜５の補正は、特許請求の範囲の減縮に相当する。
　　
オ　請求項６
　補正前の請求項６の「映像信号の出力先が前記コネクタである場合に」を、補正後の請求項６の「映像信号の出力先が前記コネクタであり且つ前記コネクタの接続先が画質調整機能を有していない外部機器である場合に」とする補正は、特許請求の範囲の減縮に相当する。
 　 
カ　請求項７〜請求項１０
　請求項７〜請求項１０は、直接又は間接的に特許請求の範囲の減縮に相当する請求項６を引用するものであるので、請求項７〜９の補正は、特許請求の範囲の減縮に相当する。
　　
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正後発明 
　補正後の請求項１〜請求項１０に係る発明のうち請求項１に係る発明（以下「補正後発明」という。）は、補正後の特許請求の範囲の請求項１に記載された以下のとおりのものである。 
　　
「ディスプレイと、
　映像信号を出力するコネクタと、
　前記ディスプレイ及び前記コネクタに対する映像信号の出力を制御するディスプレイドライバと、
　映像データを復号して映像信号を生成する復号手段と、
　前記復号化手段が復号した映像信号に対して画質調整処理を行う画質調整手段と、
　映像信号の出力先が前記ディスプレイであるか前記コネクタであるか及び前記コネクタの接続している外部機器の種類に応じて、前記画質調整手段による前記映像信号の画質調整処理を切り換える切換手段と
を備え、
　前記画質調整手段は、少なくとも映像信号の出力先が前記ディスプレイである場合に映像信号に対して画質調整を行うことを特徴とする情報処理装置。」
 　 
（４）刊行物１の記載 
　原査定の拒絶の理由に引用された特開２００５−１０９７０３号公報（上記引用文献２、以下「刊行物１」という。）には、「画像出力装置、画像出力方法、画像表示システムおよび画像出力プログラム並びに情報記録媒体」（発明の名称）に関し、図面と共に次に掲げる事項が記載されている。 
　　
〈技術分野〉
「【０００１】
　本願は、静止画像や動画像等の画像を出力する画像出力装置、画像出力方法、画像表示システムおよび画像出力プログラム並びに情報記録媒体に関する。」
　　
〈背景技術〉
「【０００２】
　従来より、ＤＶＤ（digital versatile disc）再生装置等の画像出力装置が知られている。この画像出力装置は、通常、モニタ表示装置やテレビ画像受像機等の表示装置に接続され、静止画像や動画像等の画像情報を出力している。
　【０００３】
　これらの画像出力装置および表示装置の使用者は、画像出力装置と表示装置との接続を変更する度に、アスペクト比等の表示条件の設定を手動で変更している。このことにより、表示装置は、適切に画像情報を表示している。例えば、この使用者は、ＧＵＩ（graphical user interface）等のインターフェイスを用いることにより、表示装置の表示条件の設定を手動で行っている。」
　　
〈発明が解決しようとする課題〉
「【０００４】
　しかしながら、このような従来の画像出力装置においては、画像出力装置と接続する表示装置を変更する度に当該表示装置に画像を出力する際の表示条件の設定を変更する必要があるため、使用者はその都度手動で当該表示条件を設定するようになっている。従って、その都度表示条件を変更することは、使用者にとって手間がかかり、不便さを生じさせている。また、その表示条件の設定には、表示装置等における十分な知識が必要となるため、通常、その設定には表示装置の取扱説明書等が必要となり、当該取扱説明書がなければ、十分に表示条件の設定ができないことも多い。
　【０００５】
　そこで、本願の課題は、上述の従来技術において生じる、表示条件の設定を変更する不便さを解消することが一例として挙げられ、新規な画像出力装置、画像出力方法、画像表示システムおよび画像出力プログラム並びに記録媒体を提供するものであって、最適な表示条件に合わせた画像情報を出力する画像出力装置等を提供するものである。」
　　
〈発明を実施するための最良の形態〉
「【００１１】
　本実施形態は、本願の画像出力装置としてＤＶＤ再生装置を用い、本願の表示装置としてＨＤＭＩ規格のモニタ（以下、ＨＤＭＩモニタと称する。）を用いた画像表示システムの実施の形態である。このＨＤＭＩ規格については後述する。
　【００１２】
　以下に、図面を参照して、本実施形態の画像出力装置であるＤＶＤ再生装置、および本実施形態の画像表示システムであるＤＶＤ画像表示システムについて具体的に説明する。」　　
　　
〈第一実施形態〉
「【００１３】
　（１）　第一実施形態
　本願に係る第一実施形態について、図１乃至図６を用いて説明する。
　【００１４】
　まず、図１および図２を用いて本実施形態のＤＶＤ画像表示システムの構成について説明する。なお、図１は、本実施形態のＤＶＤ画像表示システムの概要構成を示すブロック図である。そして、図２は、本実施形態のＤＶＤ画像表示システムを構成するＤＶＤ再生装置とＨＤＭＩモニタの各部材の詳細構成を示す図である。
　【００１５】
　図１に示すように、本実施形態のＤＶＤ画像表示システム１００は、ＤＶＤ再生装置１０とＨＤＭＩモニタ４０Ａおよび４０ＢとがＨＤＭＬケーブル３０を介して接続されている。また、各ＨＤＭＩモニタ４０Ａおよび４０ＢとＤＶＤ再生装置１０との間には、セレクタ３１が設けられ、当該セレクタ３１は、各ＨＤＭＩモニタ４０Ａおよび４０Ｂとの接続を切り替えるようなっている。
　【００１６】
　ＤＶＤ再生装置１０は、図２に示すように、信号読取部１１、信号処理部１２、ＡＶデコーダ１３、情報変換部１４、ＨＤＭＩ送信部１５、操作部１６、ＣＰＵ（Central Processing Unit；中央処理装置）１７、記憶部１８、ビデオエンコーダ１９、ビデオアンプ２０およびＤＶＤ設置部２１により構成されている。
　【００１７】
　なお、例えば、情報変換部１４は、本発明の変換手段として機能し、ＨＤＭＩ送信部１５は、本発明の出力手段として機能する。また、例えば、操作部１６は、本発明の操作手段として機能する。さらに、例えば、ＣＰＵ１７は、本発明の取得手段、特定手段、判断手段および検出手段として機能し、記憶部１８は、本発明の記憶手段として機能する。
　【００１８】
　信号読取部１１は、ＤＶＤ記録媒体６０の記録を読み取り可能な位置に配置されて、信号処理部１２と接続されている。この信号読取部１１は、ＤＶＤ記録媒体６０のピックアップ等から構成され、信号読取部１１は、ＤＶＤ記録媒体６０に記録されたマークおよびスペースを読みだして、当該マークおよびスペースを信号処理部１２に出力する。
　【００１９】
　信号処理部１２は、信号読取部１１およびＡＶデコーダ１３と接続されている他、ＤＶＤ再生装置１０内の通信線（以下、単に通信線という。）を介してＣＰＵ１７と接続され、ＣＰＵ１７により制御されている。」
　　
「【００２１】
　また、この信号処理部１２は、信号処理回路、復調回路および誤り訂正回路等の各回路によって、生成されたプログラムストリームをＭＰＥＧ（Moving Picture Expert Group）形式の画像情報とＡＣ３形式の音声情報とからなるデジタル信号に分離する。
　【００２２】
　そして、信号処理部１２は、分離された画像情報をＡＶデコーダ１３に送信する。ここで、信号処理部１２は、上述の画像情報と同様に、分離された音声情報をＡＶデコーダ１３に送信する。
　【００２３】
　ＡＶデコーダ１３は、信号処理部１２および映像情報処理部１４と接続されている他、通信線を介してＣＰＵ１７と接続され、ＣＰＵ１７により制御されている。具体的には、ＡＶデコーダ１３は、ＭＰＥＧデコーダ１３１と、後述するＨＤＭＩモニタ４０の表示条件情報をＧＵＩ生成するＧＵＩ生成部１３２と、により構成されている。
　【００２４】
　このＡＶデコーダ１３は、信号処理部１２から画像情報を受け取ると、その画像情報を所定形式の信号に復号する。そして、ＡＶデコーダ１３は、この復号した画像情報と、ＣＰＵ１７からの指示に基づいて後述するモニタの表示条件情報をＧＵＩ生成したＧＵＩ画像情報とを、情報変換部１４に送信する。」
　　
「【００２６】
　具体的に、ＭＰＥＧデコーダ１３１は、信号処理部１２から画像情報を受け取ると、その画像情報を所定形式の信号に復号する。そして、ＭＰＥＧデコーダ１３１は、復号された画像情報を画質調整部１４１へ送信する。
　【００２７】
　一方、ＧＵＩ生成部１３２は、ＨＤＭＩモニタ４０に当該ＤＶＤ再生装置１０が画像情報を出力するときの、画質、画像表示形式および解像度等の表示条件の設定を、後述するように、ＨＤＭＩモニタ４０から、または、記憶部１８から、ＣＰＵ１７を介して受け取る。そして、ＧＵＩ生成部１３２は、受け取ったＨＤＭＩモニタ４０の表示条件が含まれ、操作部１６により使用者が設定可能なＧＵＩ画像情報を生成し、生成したＧＵＩ画像情報を、ＨＤＭＩ送信部１５を介してＨＤＭＩモニタ４０へ出力する。例えば、ＧＵＩ生成部１３２は、後述する図６に示すような表示条件を含むＧＵＩ画像情報を出力する。なお、この表示条件の詳細については、後述する。
　【００２８】
　情報変換部１４は、ＡＶデコーダ１３、ビデオエンコーダ１９およびＨＤＭＩ送信部１５と接続されている他、通信線を介してＣＰＵ１７と接続され、ＣＰＵ１７により制御されている。具体的には、情報変換部１４は、画質調整部１４１、画像表示形式変換部１４２および解像度変換部１４３により構成されている。
　【００２９】
　この情報変換部１４は、ＡＶデコーダ１３から画像情報およびＧＵＩ画像情報を受け取る。そして、情報変換部１４は、ＣＰＵ１７から通信線を介して送信されるＨＤＭＩモニタ４０の表示条件の設定に従い、ＣＰＵ１７からの指示に基づいて、入力された画像情報の画質、画像表示形式および解像度を変換する。また、情報変換部１４は、画質、画像表示形式および解像度が変換された変換済画像情報をＨＤＭＩ送信部１５に送信する。なお、情報変換部１４は、画像情報をアナログ信号でアナログモニタ５０に出力するために、画質および画像表示形式が変換された変換済画像情報をビデオエンコーダ１９に送信する。
　【００３０】
　なお、情報変換部１４は、画像情報と同様に、入力されたＧＵＩ画像情報についても、ＣＰＵ１７からの指示に基づいて変換し、当該情報変換部１４は、変換されたＧＵＩ画像情報をＨＤＭＩ送信部１５に送信する。このＧＵＩ画像情報は、画像情報と同様に、以下に説明するように変換される。また、情報変換部１４は、入力された音声情報についても、ＣＰＵ１７からの指示に基づいて所定の設定に変換し、当該情報変換部１４は、変換された音声情報をＨＤＭＩ送信部１５に送信する。」
　　
〈情報変換部１４〉
「【００３１】
　ここで、情報変換部１４の各構成部材の構成について説明する。
　【００３２】
　画質調整部１４１は、ＡＶデコーダ１３から画像情報を受け取ると、ＣＰＵ１７および記憶部１８から通信線を介して得られる、設定された表示条件の中の画質に合わせて、入力された画像情報の画質を調整する。この画質調整部１４１は、操作部１６を用いて使用者により選択された画質に調整する。具体的には、画質調整部１４１は、ＨＤＭＩモニタ４０において表示される画像情報の明るさ、コントラスト等の画質を調整する。また、画質調整部１４１は、この画質調整後の画像情報を画像表示形式変換部１４２に送信する。
　【００３３】
　画像表示形式変換部１４２は、画質調整部１４１から画質調整後の画像情報を受け取ると、ＣＰＵ１７および記憶部１８から通信線を介して得られる、設定された表示条件の中の画像表示形式に合わせて、入力された画像情報の画像表示形式を変換する。この画像表示形式変換部１４２は、操作部１６を用いて使用者により選択された画像表示形式に変換する。例えば、画像表示形式変換部１４２は、入力された画像情報のインターレース方式、プログレッシブ方式等のＨＤＭＩモニタ４０における画像表示形式に、当該画像情報の画像表示形式を変換する。
　【００３４】
　また、画像表示形式変換部１４２は、解像度変換部１４３に、この画像表示形式変換後の画像情報を送信する。なお、画像表示形式変換部１４２は、画像情報をアナログ信号でアナログモニタ５０に出力するために、画像表示形式変換後の変換済画像情報をビデオエンコーダ１９に送信する。
　【００３５】
　解像度変換部１４３は、画像表示形式変換部１４２から表示形式変換後の画像情報を受け取ると、ＣＰＵ１７および記憶部１８から通信線を介して得られる、設定された表示条件の中の解像度に合わせて、画像情報の解像度を変換する。解像度変換部１４３は、この解像度変換後の画像情報をＨＤＭＩ送信部１５に送信する。」
　　
〈ＨＤＭＩ送信部１５〉
「【００３６】
　ＨＤＭＩ送信部１５は、情報変換部１４と接続されている他、通信線を介してＣＰＵ１７と接続され、ＣＰＵ１７に制御されている。また、ＨＤＭＩ送信部１５は、ＨＤＭＩケーブル３０を介して、ＨＤＭＩモニタ４０と接続されている。
　【００３７】
　このＨＤＭＩ送信部１５は、情報変換部１４から、すなわち、解像度変換部１４３から画像情報が変換された変換済画像情報を受け取ると、当該変換済画像情報を所定の形式に変換し、変換した画像情報をＨＤＭＩモニタ４０に送信する。このようにして、ＨＤＭＩ送信部１５は、ＨＤＭＩモニタ４０に変換済画像情報を出力する。
　【００３８】
　具体的には、ＨＤＭＩ送信部１５は、受け取った変換済画像情報をデジタル信号の状態で送信する。さらに具体的には、ＨＤＭＩ送信部１５は、受け取った変換済画像情報を、ＨＤＭＩ規格の情報に基づいたデジタル信号に変換して送信する。
　【００３９】
　本実施形態では、例えば、ＨＤＭＩ送信部１５は、この変換済画像情報をＨＤＭＩ規格のデジタル信号に変換し、ＨＤＭＩケーブル３０を介して、ＴＭＤＳ（Transition Minimized Differential Signaling）方式でＨＤＭＩモニタ４０に送信する。
　【００４０】
　なお、ＨＤＭＩ送信部１５は、情報変換部１４から、変換されたＧＵＩ画像情報および変換された音声情報を受け取るとともに、上述の変換済画像情報と同様に、所定の形式に変換し、変換したＧＵＩ画像情報および音声情報をＨＤＭＩモニタ４０に送信する。
　【００４１】
　一方、ＨＤＭＩ送信部１５は、ＨＤＭＩケーブル３０により、ＤＶＤ再生装置１０とＨＤＭＩモニタ４０との接続の有無を検出している。具体的には、ＨＤＭＩケーブル３０にはＨＰＤ（Hot Plug Detector）があり、ＨＤＭＩ送信部１５は、このＨＰＤから、接続の有無の情報を受け取る。ＨＤＭＩ送信部１５は、ＨＰＤから受け取った接続の有無の情報を、通信線を介してＣＰＵ１７に送信する。」
　　
〈ＣＰＵ１７〉
「【００４３】
　ＣＰＵ１７は、操作部１６と接続されている他、信号処理部１２、ＡＶデコーダ１３、情報変換部１４、ＨＤＭＩ送信部１５および記憶部１８と、通信線を介して接続されている。また、ＣＰＵ１７は、ＨＤＭＩモニタ４０と、後述するＤＤＣ（Display Data Channel）および通信線を介して接続されている。ＣＰＵ１７からの指示は、通信線を介して信号処理部１２、ＡＶデコーダ１３、情報変換部１４、ＨＤＭＩ送信部１５および記憶部１８の各構成部材に送信され、ＣＰＵ１７は、これらの各構成部材を制御している。また、ＣＰＵ１７は、ＤＤＣを介して、ＨＤＭＩモニタ４０から後述する表示条件の情報（以下、表示条件情報という。）を含む条件情報を取得する。
　【００４４】
　ＣＰＵ１７は、ＤＶＤ再生装置１０とＨＤＭＩモニタ４０との接続が有る旨の情報をＨＤＭＩ送信部１５から受け取ると、ＨＤＭＩモニタ４０からそのＨＤＭＩモニタ４０の条件情報を、ＤＤＣを介して取得する。そして、ＣＰＵ１７は、情報変換部１４に対して、この条件情報により設定される表示条件に従って画像情報を変換するよう指示する。また、ＣＰＵ１７は、ＧＵＩ生成部１３２に対して、このＨＤＭＩモニタ４０の表示条件に基づいて当該表示条件におけるＧＵＩを生成し、当該生成したＧＵＩの画像情報（以下、ＧＵＩ画像情報という。）をＨＤＭＩモニタ４０に出力するよう指示する。なお、この条件情報にはＨＤＭＩモニタ４０の種類や同一のモニタであることを特定する特定情報が含まれている。この特定情報の詳細については後述する。
　【００４５】
　さらに、ＣＰＵ１７は、ＨＤＭＩモニタ４０から送信される、または、操作部１６を用いた設定変更により表示条件が変更された条件情報を、記憶部１８に送信して、各ＨＤＭＩモニタ４０の特定情報と他の条件情報とを関連づけて記憶部１８に記憶させる。そして、ＣＰＵ１７にＨＤＭＩモニタ４０から当該特定情報が入力されると、この特定情報を有するＨＤＭＩモニタ４０と適合する条件情報が記憶部１８に記憶されている場合には、ＣＰＵ１７は、記憶部１８から特定情報により特定されたＨＤＭＩモニタ４０の条件情報を読み出す。そして、ＣＰＵ１７は、情報変換部１４に対して、読み出された条件情報により設定される表示条件に従って画像情報を変換するよう指示する。
　【００４６】
　またさらに、ＣＰＵ１７は、接続されるＨＤＭＩモニタ４０から取得される条件情報の規格を判断する。具体的に、ＣＰＵ１７は、条件情報と共に入力される後述の登録識別子に基づいて、接続されるモニタの規格がＨＤＭＩ規格またはＤＶＩ規格等の規格であることを判断する。
　【００４７】
　なお、このように規格が判断されることにより、ＣＰＵ１７に入力される条件情報の規格が特定され、当該ＣＰＵ１７は、ＨＤＭＩ送信部１５に対し、変換済画像情報を所定形式の信号に変換してＨＤＭＩモニタ４０に送信させることが可能となる。」
　　
「【００４９】
　さらにまた、ＣＰＵ１７は、ＨＤＭＩモニタ４０とＤＶＤ再生装置１０との接続が無い旨の情報をＨＤＭＩ送信部１５から受け取ることにより、ＨＤＭＩモニタ４０とＤＶＤ再生装置１０との接続が切断された旨の情報を検出すると、記憶部１８からＤＶＤ再生装置１０とＨＤＭＩモニタ４０とが接続する前の表示条件を含む条件情報を読み出す。そして、ＣＰＵ１７は、情報変換部１４に対して、接続する前の表示条件に従って画像情報を変換するよう指示し、さらに、アナログモニタ５０へアナログ信号の当該画像情報を出力するよう指示する。」
　　
〈記憶部１８〉
「【００５０】
　記憶部１８は、通信線を介してＣＰＵ１７と接続されている。記憶部１８は、ＣＰＵ１７から送信される各ＨＤＭＩモニタ４０の条件情報を、そのＨＤＭＩモニタ４０の特定情報とともに記憶する。
　【００５１】
　また、条件情報が変更された場合には、記憶部１８は、その度に変更された条件情報を記憶する。さらに、記憶部１８は、ＨＤＭＩモニタ４０と接続する前の条件情報を記憶している。」
　　
〈ビデオエンコーダ１９、ビデオアンプ２０〉
　【００５２】
　ビデオエンコーダ１９は、情報変換部１４およびビデオアンプ２０と接続されている。このビデオエンコーダ１９は、画像表示形式変換部１４２から画質または画像表示形式が変換された画像情報を受け取ると、この画像情報をアナログ出力用の信号に変換する。また、ビデオエンコーダ１９は、この変換された画像情報をビデオアンプ２０に送信する。
　【００５３】
　ビデオアンプ２０は、ビデオエンコーダ１９と接続されている。また、ビデオアンプ２０は、アナログケーブルと接続され、当該アナログケーブルを介してアナログモニタ５０が接続されている場合には、アナログ信号をアナログモニタ５０に出力する。具体的には、このビデオアンプ２０は、ビデオエンコーダ１９からアナログ出力用の信号に変換された画像情報を受け取ると、このアナログ出力用の信号を増幅する。そして、ビデオアンプ２０は、増幅された画像情報のアナログ出力用の信号を、アナログケーブルを介してアナログモニタ５０に出力する。」
　　
〈ＤＤＣ、ＨＤＭＩ〉
「【００５６】
　ＤＤＣは、Display Data Channelの略であり、通信形式の名称である。このＤＤＣは、画像情報の表示条件や音声情報の音声条件の情報以外に、ＨＤＭＩモニタ４０に関する他の情報を併せてＤＶＤ再生装置１０に送信するのにも用いられる回線である。なお、ＤＤＣは、ＤＶＤ再生装置１０内の通信線と接続されており、当該ＤＤＣは、ＤＶＤ再生装置１０とＨＤＭＩモニタ４０との間の回線を確立させるために用いられる。
　【００５７】
　ＨＤＭＩは、High Definition Multimedia Interfaceの略であり、ＤＶＤ再生装置等の出力装置からテレビ画像受像機やプロジェクタ表示装置等の表示装置へデジタルＡ／Ｖ信号を伝送するためのインターフェイスである。ＨＤＭＩは、従来の規格であるＤＶＩ（Digital Visual Interface for Computer）Ver1.0を拡張したものである。具体的には、ＤＶＩは画像情報のみを送信する規格であるのに対し、ＨＤＭＩは、画像情報の他、音声情報およびその他の情報も一のケーブルで送信できる規格である。さらに、ＨＤＭＩは、高品質のマルチチャンネル音声と高解像度の各種フォーマットの画像信号（映像信号）の伝送が可能である。
　【００５８】
　ＨＤＭＩは、上述のＤＤＣ通信により、各種の情報（モニタの情報、例えばＥＤＩＤデータ構造等）を伝送するのに用いられることも可能である。また、ＨＤＭＩは、上述のように一のケーブルで画像情報および音声情報を伝送することができ、複数ケーブル接続の煩わしさがなくなるという利点を有している。ＤＶＤ再生装置１０からＣＳＳ（Content Scrambling System）におけるコンテンツを出力する場合において、ＨＤＭＩは、ＣＰＡＣ（Copy Protection Advisory Council）により承認されている規格である。」
　　
〈ＨＤＭＩモニタ４０〉
「【００６１】
　ＨＤＭＩモニタ４０は、ＨＤＭＩレシーバ４１を有している。このＨＤＭＩレシーバ４１は、ＴＭＤＳ方式でＤＶＤ再生装置１０から送信された変換済画像情報のデジタル信号を受け取る。ＨＤＭＩレシーバ４１は、受け取ったデジタル信号を、画像情報を表示できるよう、ＨＤＭＩモニタ４０内の図示しない所定の構成部材に送信する。そして、ＨＤＭＩモニタ４０は、デジタル信号として受け取った変換済画像情報に基づいて、画像情報を表示する。
　【００６２】
　一方、ＨＤＭＩレシーバ４１は、ＤＤＣと接続されており、上述の条件情報としてのＥＤＩＤデータ構造をＤＶＤ再生装置１０に対して送信する。」
　　
〈条件情報〉
「【００６３】
　次いで、ＨＤＭＩモニタ４０やアナログモニタにおける表示条件情報を含む条件情報について図３を用いて説明する。なお、この条件情報には、上述の特定情報も含まれている。また、図３は、ＨＤＭＩモニタからＤＶＤ再生装置１０に送信されるＥＤＩＤデータ構造の構成を示す図である。
　【００６４】
　条件情報は、ＤＤＣ通信によりＨＤＭＩモニタ４０からＣＰＵ１７に送信される。この条件情報は、ＥＤＩＤ（Extended Display Identification Data）と呼ばれるデータ構造内に含まれている。図３に示されるように、このＥＤＩＤデータ構造７０には、ＥＤＩＤデータ構造のヘッダを示すＥＤＩＤヘッダ情報７１、ＥＤＩＤデータ構造のバージョンを示すＥＤＩＤバージョン情報７２、上述した条件情報７３およびこれら以外の情報である他情報７４が含まれている。このうち、条件情報７３には、モニタを特定する特定情報７３１、モニタの表示条件を示す表示条件情報７３２、モニタの音声条件を示す音声条件情報７３６、これら以外の情報である他情報７３７が含まれている。
　【００６５】
　例えば、特定情報７３１は、モニタの製造者名、モニタの製品コード、モニタのシリアル番号、モニタの製造年と週および予め定められたモニタ名情報等からなる。また、例えば、表示条件情報７３２は、モニタに対応する一以上の解像度を示す対応解像度の情報と、モニタに対応する解像度のうち最も適した解像度を示す最適解像度の情報と、からなる解像度情報７３３、モニタに表示可能なアスペクト比を示すアスペクト比情報７３４、モニタのその他の表示条件を示す表示情報７３５からなる。この表示情報７３５は、上記の具体的な表示条件以外の表示情報であり、例えば、モニタに対応する画像表示形式情報、モニタに表示する際に基準となる画質情報およびモニタに対応する画素数情報等の表示に関する情報からなる。また、例えば、音声条件情報７３６は、ドルビーデジタル音声対応またはＤＴＳ音声対応等の対応する音声条件を示す対応音声条件情報等からなる。
　【００６６】
　一方、ＥＤＩＤデータ構造７０の他情報７４は、映像入力の定義と最大イメージサイズとディスプレイ伝送特性とを含む基本ディスプレイパラメータ、モニタのＲＧＢの色特性、解像度情報と周波数情報とアスペクト比情報とを含む映像信号タイミング、モニタのエクステンションデータ（拡張子）の有無を示すエクステンションデータ有無フラグ、データの伝送の誤りを検出するために用いられるチェックサムを含んでいる。」
　　
〈ＤＶＤ再生装置１０の動作、図５〉
「【００７２】
　次いで、第一実施形態に係るＤＶＤ画像表示システム１００におけるＤＶＤ再生装置１０の動作について、図５を用いて説明する。
　【００７３】
　なお、図５は、ＤＶＤ画像表示システム１００において画像情報の表示条件を設定し出力する動作を示すフローチャートである。この処理は、図２に示すＤＶＤ画像表示システムにおいて、ＤＶＤ再生装置１０にＨＤＭＩモニタ４０が接続された場合に画像情報をＨＤＭＩモニタ４０に出力する際の実施形態である。
　【００７４】
　まず、図示しない電源スイッチによってＤＶＤ再生装置１０に電源が入れられると（ステップＳ１）、ＤＶＤ再生装置の各システムが初期化される（ステップＳ２）。そして、ＣＰＵ１７は、ＨＰＤからＨＤＭＩ送信部１５を介し、ＤＶＤ再生装置１０とＨＤＭＩモニタ４０との接続の有無の情報を受信するとともに、当該ＤＶＤ再生装置１０とＨＤＭＩモニタ４０との接続の有無を検出する（ステップＳ３）。このとき、ＤＶＤ再生装置１０とＨＤＭＩモニタ４０とが接続されている場合には、ＣＰＵ１７は、ＤＶＤ再生装置１０とＨＤＭＩモニタ４０とが接続されている旨を検出する（ステップＳ３ＹＥＳ）。
　【００７５】
　一方、ＣＰＵ１７がＨＤＭＩモニタ４０とが接続されていない旨を検出した場合には（ステップＳ３ＮＯ）、当該ＣＰＵ１７は、通信線を介して予め記憶部１８に記憶されている、接続前の表示条件情報を読み込むとともに、情報変換部１４に、画像情報の表示条件をこの表示条件情報に基づいて設定させ（ステップＳ１４）、後述するステップＳ１６に進む。
　【００７６】
　次いで、ＣＰＵ１７は、ＤＶＤ再生装置１０とＨＤＭＩモニタ４０とが接続されている旨を検出した後（ステップＳ３ＹＥＳ）、ＨＤＭＩモニタ４０からＤＤＣを介して表示条件情報を含む条件情報を取得する（ステップＳ４）。
　【００７７】
　次いで、ＣＰＵ１７は、ＨＤＭＩモニタ４０からＤＤＣを介して得られる登録識別子に基づいて、接続するＨＤＭＩモニタ４０の規格を判断する（ステップＳ５）。
　【００７８】
　具体的には、ＣＰＵ１７は、登録識別子に基づいて、接続するＨＤＭＩモニタ４０の規格がＨＤＭＩ規格であるか、ＤＶＩ規格であるかを判断する。
　【００７９】
　次いで、ＣＰＵ１７は、ＨＤＭＩモニタ４０の接続前の表示条件情報を、通信線を介して記憶部１８に記憶させる（ステップＳ６）。
　【００８０】
　次いで、ＣＰＵ１７は、取得した条件情報から、ＨＤＭＩモニタ４０の特定情報を検出し、この特定情報を基に、現在接続されているＨＤＭＩモニタ４０が、過去に接続されたことがあるモニタか否かを判断する（ステップＳ７）。
　【００８１】
　具体的に、ＣＰＵ１７は、ＨＤＭＩモニタ４０から取得した特定情報に含まれるモニタ名情報と、記憶部１８に特定情報として記憶されているモニタ名情報とを照合し、記憶部１８が現在接続されているＨＤＭＩモニタ４０のモニタ名情報を記憶している場合には、現在接続されているＨＤＭＩモニタ４０が、過去に接続されたモニタであると判断する。
　【００８２】
　ＣＰＵ１７が接続されているＨＤＭＩモニタ４０が過去に接続されたモニタであると判断した場合には（ステップＳ７ＹＥＳ）、ＣＰＵ１７は、ＨＤＭＩモニタ４０の特定情報を基に、記憶部１８に記憶されている、過去に接続された際の表示条件情報を読み込むとともに、情報変換部１４に、画像情報の表示条件をこの表示条件情報に基づいて設定させ（ステップＳ１５）、ステップＳ１６に進む。
　【００８３】
　一方、ＣＰＵ１７が、接続されているＨＤＭＩモニタ４０が過去に接続されたモニタでないと判断した場合には（ステップＳ７ＮＯ）、ＣＰＵ１７は、ＨＤＭＩモニタ４０から受け取ったそのＨＤＭＩモニタ４０の表示条件情報を含む条件情報を記憶部１８に保存する（ステップＳ８）。
　【００８４】
　次いで、ＣＰＵ１７は、受け取ったＨＤＭＩモニタ４０の表示条件情報に従って、ＤＶＤ記録媒体６０から読み取られた画像情報を情報変換部１４に変換させ、当該変換された画像情報についてＨＤＭＩ送信部１５を介してＨＤＭＩモニタ４０に出力させる（ステップＳ９）。
　【００８５】
　次いで、ＣＰＵ１７は、例えば、図４に示すＨＤＭＩモニタ４０に出力された画像情報の表示条件を示すＧＵＩ画像情報を、ＧＵＩ生成部１３２に生成させる（ステップＳ１０）。このとき、ＨＤＭＩモニタ４０には、ＨＤＭＩ送信部１５を介してＧＵＩ画像情報が入力され、当該ＨＤＭＩモニタ４０は、当該生成されたＧＵＩ画像情報を図示しない画面に表示させる。
　【００８６】
　また、このとき、この表示条件の画面を見たＤＶＤ再生装置１０の使用者には、表示条件を変更するか否かを判断させ、ＣＰＵ１７は、操作部１６からの指示の有無により、表示条件が変更されたか否かを判断する（ステップＳ１１）。
　【００８７】
　ＣＰＵ１７は、操作部１６により表示条件が変更されたことを認識した場合には（ステップＳ１１ＹＥＳ）、変更された表示条件情報を記憶部１８に保存する（ステップＳ１２）。
　【００８８】
　次いで、ＣＰＵ１７は、情報変換部１４に、操作部１６から受け取ったＨＤＭＩモニタ４０の変更された表示条件情報に設定させ（ステップＳ１３）、ステップＳ１６に進む。
　【００８９】
　一方、ＣＰＵ１７は、操作部１６により表示条件が変更されたことを認識しない場合には（ステップＳ１１ＮＯ）、そのままの状態でステップＳ１６に進む。
　【００９０】
　次いで、ＣＰＵ１７は、情報変換部１４に、ＤＶＤ記録媒体６０から読み取られた画像情報を、設定された表示条件に基づいて変換させ、当該変換させた画像情報を、ＨＤＭＩ送信部１５を介してＨＤＭＩモニタ４０に出力させ（ステップＳ１６）、本動作を終了する。
　【００９１】
　具体的には、ＣＰＵ１７は、情報変換部１４に、設定される画質、画像表示形式および解像度の表示条件に従い、ＤＶＤ記録媒体６０から信号読取部１１、信号処理部１２およびＡＶデコーダ１３を介して得られた画像情報を変換させる。そして、ＣＰＵ１７は、当該変換した画像情報を、ＨＤＭＩ送信部１５を介してＨＤＭＩモニタ４０に出力させる。
　【００９２】
　なお、ＣＰＵ１７は、ステップＳ１４の後、画像表示形式変換部１４２に、情報変換部１４において変換した画像情報を、ビデオエンコーダ１９、ビデオアンプ２０を介してアナログモニタ５０へアナログ信号で出力させる。」
　　
〈ＤＶＤ再生装置１０からＨＤＭＩモニタ４０の接続が切断された場合の画像出力処理、図６〉
「【００９３】
　次いで、ＤＶＤ画像表示システム１００において、ＤＶＤ再生装置１０からＨＤＭＩモニタ４０の接続が切断された場合の画像出力処理について、図６を用いて説明する。
　【００９４】
　なお、図６は、ＤＶＤ再生装置１０からＨＤＭＩモニタ４０の接続を切断した場合の動作を示すフローチャートである。
　【００９５】
　ＤＶＤ再生装置１０とＨＤＭＩモニタ４０との接続が切断され、ＨＰＤがこの接続が切断された旨を検出すると、当該ＨＰＤは接続が切断された旨をＨＤＭＩ送信部１５および通信線を介してＣＰＵ１７に送信し、ＣＰＵ１７はこの接続が切断された旨を検出する（ステップＳ２１）。
　【００９６】
　次いで、ＣＰＵ１７は、接続前の表示条件情報を記憶部１８から読み込む（ステップＳ２２）。
　【００９７】
　次いで、ＣＰＵ１７は、情報変換部１４に、ＤＶＤ記録媒体６０から読み取られた画像情報を、読み込んだ接続前の表示条件情報に従い設定された表示条件に基づいて変換させ、当該変換した画像情報をアナログモニタ５０へ出力させ（ステップＳ２３）、本動作を終了する。」
　　
〈効果〉
「【００９８】
　以上説明したように、第一実施形態のＤＶＤ再生装置１０は、画像情報を表示するＨＤＭＩモニタ４０と接続され、このＨＤＭＩモニタ４０に画像情報を出力するＤＶＤ再生装置１０であって、予めＨＤＭＩモニタ４０からＨＤＭＩモニタ４０の表示条件を示す情報である条件情報を取得するＣＰＵ１７と、ＨＤＭＩモニタ４０に出力する画像情報を条件情報に基づいて変換する情報変換部１４と、情報変換部１４により変換された画像情報である変換済画像情報をＨＤＭＩモニタ４０に出力するＨＤＭＩ送信部１５と、を備える。
　【００９９】
　よって、このＤＶＤ再生装置１０によれば、新しいＨＤＭＩモニタ４０が接続されても、当該ＤＶＤ再生装置１０は、新しく接続されたＨＤＭＩモニタ４０から表示条件の情報が得られる。そのため、ＤＶＤ再生装置１０は、得られた表示条件の情報に基づいて、接続するＨＤＭＩモニタ４０に適切な表示条件で、画像情報を出力することができる。従って、新しいＨＤＭＩモニタ４０がＤＶＤ再生装置１０に接続された場合にも、使用者は、画像情報の表示条件の設定を変更する必要がなく、適切な表示条件によって画像情報を出力することができるので、このＤＶＤ再生装置１０における使用者の利便性が向上される。」
　　
「【０１１１】
　また、上記ＤＶＤ再生装置１０であって、さらに、記憶部１８が、ＨＤＭＩモニタ４０との接続前の表示条件として接続前表示条件を予め記憶している場合において、ＨＤＭＩモニタ４０との接続が切断された旨を検出する機能をＣＰＵ１７が備え、情報変換部１４は、ＣＰＵ１７がＨＤＭＩモニタ４０との接続が切断された旨を検出した場合に、記憶されている接続前表示条件に基づき、画像情報を変換する。
　【０１１２】
　よって、ＤＶＤ再生装置１０は、デジタル信号で出力する規格のＨＤＭＩモニタ４０との接続が切断されると、接続前の表示条件に基づいて画像情報を変換することになる。この変換された画像情報は、例えばアナログ信号で出力されるアナログモニタ５０とＤＶＤ再生装置１０とが接続されていると、このアナログモニタ５０に出力されることになる。
　【０１１３】
　このように、画像情報がアナログモニタ５０等のＨＤＭＩ規格以外のモニタに出力される場合にも、ＤＶＤ再生装置１０は、予め設定した表示条件を記憶しておき、この表示条件に基づいて画像情報を出力することができる。従って、使用者がアナログモニタ５０等のＨＤＭＩ規格以外のモニタにおける表示条件の設定を再度変更する必要がなく、適切な表示条件によってアナログモニタ５０において画像情報を出力することができるので、このＤＶＤ再生装置１０における使用者の利便性が向上される。」
　　
「【０１１４】
　上記ＤＶＤ再生装置１０であって、ＣＰＵ１７は、ＨＤＭＩモニタ４０の特定情報の他に、ＨＤＭＩモニタ４０に表示する画像情報のアスペクト比、解像度、画素数、画像表示形式または画質の少なくともいずれか一つを含む条件情報を取得する。
　【０１１５】
　よって、ＤＶＤ再生装置１０は、新しいＨＤＭＩモニタ４０が接続されても、新しく接続されたＨＤＭＩモニタ４０からアスペクト比、解像度、画素数、画像表示形式または画質の少なくともいずれか一つの表示条件が特定情報とともに得られる。そのため、ＤＶＤ再生装置１０は、得られた表示条件に基づいて、接続するＨＤＭＩモニタ４０に適切な表示条件によって画像情報を出力することができる。
　【０１１６】
　従って、新しいＨＤＭＩモニタ４０をＤＶＤ再生装置１０に接続した場合にも、使用者は、画像情報の表示条件の設定を変更する必要がなく、適切な表示条件によって画像情報を出力することができるので、このＤＶＤ再生装置１０における使用者の利便性が向上される。」
　　
「【０１１７】
　また、第一実施形態のＤＶＤ画像表示システム１００は、画像情報を表示するＨＤＭＩモニタ４０と、このＨＤＭＩモニタ４０と接続されてＨＤＭＩモニタ４０に画像情報を出力するＤＶＤ再生装置１０と、からなる画像表示システムであって、予めＨＤＭＩモニタ４０からＨＤＭＩモニタ４０の表示条件を示す情報である条件情報を取得するＣＰＵ１７と、ＨＤＭＩモニタ４０に出力する画像情報を条件情報に基づいて変換する情報変換部１４と、情報変換部１４により変換された画像情報である変換済画像情報をＨＤＭＩモニタ４０に出力するＨＤＭＩ送信部１５と、を備え、ＨＤＭＩモニタ４０は、ＤＶＤ再生装置１０から出力された変換済画像情報に従って画像情報を表示する。
　【０１１８】
　よって、このＤＶＤ画像表示システム１００によれば、新しいＨＤＭＩモニタ４０が接続されても、ＤＶＤ再生装置１０は、新しく接続されたＨＤＭＩモニタ４０から表示条件の情報が得られる。そのため、ＤＶＤ再生装置１０は、得られた表示条件の情報に基づいて、接続するＨＤＭＩモニタ４０に適切な表示条件で、画像情報を出力することができる。従って、ＤＶＤ画像表示システム１００において、新しいＨＤＭＩモニタ４０をＤＶＤ再生装置１０に接続した場合にも、使用者は、画像情報の表示条件の設定を変更する必要がなく、適切な表示条件によって画像情報を出力することができるので、このＤＶＤ再生装置１０における使用者の利便性が向上される。」
　　
〈変形形態〉
「【０１４３】
　第一実施形態においては、本願の画像出力装置としてＤＶＤ再生装置１０を用いたが、これに限定されることはない。画像出力装置としては、ＤＶＤ記録装置、パーソナルコンピュータ、ビデオテープ再生装置、ビデオテープ記録装置（ＶＴＲ）、ビデオカメラ、デジタルカメラ、テレビ用チューナ、ケーブルテレビ用チューナ、家庭用テレビに接続されて追加機能を提供する機器（セットトップボックス）、ゲーム用出力機器等の各種画像出力装置が挙げられ、画像情報を出力することができる装置であればよい。」
　　
「【０１４５】
　第一実施形態においては、ＤＶＤ再生装置１０とＨＤＭＩモニタ４０との接続が切断されたときに、アナログ信号で画像情報をアナログモニタ５０に出力することとしたが、これに限定されることはない。」
　　
（５）対比
ア　刊行物１に記載された発明
　刊行物１に記載されたＤＶＤ再生装置１０（図２）は、次のような装置である。
　「ＤＶＤ再生装置１０は、図２に示すように、信号読取部１１、信号処理部１２、ＡＶデコーダ１３、情報変換部１４、ＨＤＭＩ送信部１５、操作部１６、ＣＰＵ（Central Processing Unit；中央処理装置）１７、記憶部１８、ビデオエンコーダ１９、ビデオアンプ２０およびＤＶＤ設置部２１により構成され」（段落【００１６】）、
　「信号読取部１１は、ＤＶＤ記録媒体６０の記録を読み取り可能な位置に配置されて、信号処理部１２と接続され」（段落【００１８】）、
　「信号処理部１２は、信号処理回路、復調回路および誤り訂正回路等の各回路によって、生成されたプログラムストリームをＭＰＥＧ（Moving Picture Expert Group）形式の画像情報とＡＣ３形式の音声情報とからなるデジタル信号に分離」（段落【００２１】）し、
　「分離された画像情報をＡＶデコーダ１３に送信」（段落【００２２】）し、
　「ＡＶデコーダ１３は、信号処理部１２から画像情報を受け取ると、その画像情報を所定形式の信号に復号」（段落【００２４】）し、
　「情報変換部１４は、ＡＶデコーダ１３から画像情報およびＧＵＩ画像情報を受け取」り、「ＣＰＵ１７から通信線を介して送信されるＨＤＭＩモニタ４０の表示条件の設定に従い、ＣＰＵ１７からの指示に基づいて、入力された画像情報の画質、画像表示形式および解像度を変換」し、「変換された変換済画像情報をＨＤＭＩ送信部１５に送信する。」また、「情報変換部１４は、画像情報をアナログ信号でアナログモニタ５０に出力するために、画質および画像表示形式が変換された変換済画像情報をビデオエンコーダ１９に送信する。」（段落【００２９】）
　「ＨＤＭＩケーブル３０にはＨＰＤ（Hot Plug Detector）があり、ＨＤＭＩ送信部１５は、このＨＰＤから、接続の有無の情報を受け取」り、「ＤＶＤ再生装置１０とＨＤＭＩモニタ４０との接続の有無を検出し」、「接続の有無の情報を、通信線を介してＣＰＵ１７に送信する。」（段落【００４１】）
　「ＣＰＵ１７は、ＤＶＤ再生装置１０とＨＤＭＩモニタ４０との接続が有る旨の情報をＨＤＭＩ送信部１５から受け取ると、ＨＤＭＩモニタ４０からそのＨＤＭＩモニタ４０の条件情報を、・・・取得する。そして、ＣＰＵ１７は、情報変換部１４に対して、この条件情報により設定される表示条件に従って画像情報を変換するよう指示する。」（段落【００４４】）
　「この条件情報にはＨＤＭＩモニタ４０の種類や同一のモニタであることを特定する特定情報が含まれている。」（段落【００４４】）
　「記憶部１８は、ＨＤＭＩモニタ４０と接続する前の条件情報を記憶している。」（段落【００５１】）
　「ＤＶＤ再生装置１０に電源が入れられると」、「ＤＶＤ再生装置の各システムが初期化され」、「ＣＰＵ１７は、ＨＰＤからＨＤＭＩ送信部１５を介し、ＤＶＤ再生装置１０とＨＤＭＩモニタ４０との接続の有無の情報を受信するとともに、当該ＤＶＤ再生装置１０とＨＤＭＩモニタ４０との接続の有無を検出」し、「ＤＶＤ再生装置１０とＨＤＭＩモニタ４０とが接続されている場合には、ＣＰＵ１７は、ＤＶＤ再生装置１０とＨＤＭＩモニタ４０とが接続されている旨を検出する」（段落【００７４】）。
　「ＣＰＵ１７がＨＤＭＩモニタ４０とが接続されていない旨を検出した場合には」、「当該ＣＰＵ１７は、通信線を介して予め記憶部１８に記憶されている、接続前の表示条件情報を読み込むとともに、情報変換部１４に、画像情報の表示条件をこの表示条件情報に基づいて設定させ」（段落【００７５】）、「画像表示形式変換部１４２に、情報変換部１４において変換した画像情報を、ビデオエンコーダ１９、ビデオアンプ２０を介してアナログモニタ５０へアナログ信号で出力させる。」（段落【００９２】）
　「ＣＰＵ１７は、ＤＶＤ再生装置１０とＨＤＭＩモニタ４０とが接続されている旨を検出した後」、「ＨＤＭＩモニタ４０から・・・表示条件情報を含む条件情報を取得」し（段落【００７６】）、
　「ＣＰＵ１７は、情報変換部１４に、ＤＶＤ記録媒体６０から読み取られた画像情報を、設定された表示条件に基づいて変換させ、当該変換させた画像情報を、ＨＤＭＩ送信部１５を介してＨＤＭＩモニタ４０に出力させ」る（段落【００９０】）。　
　　
　そして、刊行物１には、
「第一実施形態においては、本願の画像出力装置としてＤＶＤ再生装置１０を用いたが、これに限定されることはない。画像出力装置としては、ＤＶＤ記録装置、パーソナルコンピュータ、ビデオテープ再生装置、ビデオテープ記録装置（ＶＴＲ）、ビデオカメラ、デジタルカメラ、テレビ用チューナ、ケーブルテレビ用チューナ、家庭用テレビに接続されて追加機能を提供する機器（セットトップボックス）、ゲーム用出力機器等の各種画像出力装置が挙げられ、画像情報を出力することができる装置であればよい。」（段落【０１４３】）
と記載されているから、画像出力装置としてのＤＶＤ再生装置１０をパーソナルコンピュータとし、これを刊行物１に記載された発明として認定する。
　また、ＨＤＭＩモニタ４０、アナログモニタ５０は、画像出力装置としてのパーソナルコンピュータ（ＤＶＤ再生装置１０）と一体化したものではなく、パーソナルコンピュータ（ＤＶＤ再生装置１０）の外部にケーブルを介して接続されるものである。本体機器と外部機器とをケーブルを介して接続する場合、本体機器にコネクタを備え、コネクタを用いて接続することが普通であるから、刊行物１に記載されたパーソナルコンピュータ（ＤＶＤ再生装置１０）は、ＨＤＭＩモニタ４０に画像情報を出力するコネクタと、アナログモニタ５０に画像情報を出力するコネクタを備えているといえる。
　　
　以上より、刊行物１には、次の発明（以下「刊行物１発明」という。）が記載されていると認められる。
　　
　「信号読取部１１、信号処理部１２、ＡＶデコーダ１３、情報変換部１４、ＨＤＭＩ送信部１５、操作部１６、ＣＰＵ１７、記憶部１８、ビデオエンコーダ１９、ビデオアンプ２０およびＤＶＤ設置部２１により構成されるパーソナルコンピュータであって、
　信号読取部１１は、ＤＶＤ記録媒体６０の記録を読み取り可能な位置に配置されて、信号処理部１２と接続され、
　信号処理部１２は、信号処理回路、復調回路および誤り訂正回路等の各回路によって、生成されたプログラムストリームをＭＰＥＧ形式の画像情報とＡＣ３形式の音声情報とからなるデジタル信号に分離し、
　分離された画像情報をＡＶデコーダ１３に送信し、
　ＡＶデコーダ１３は、信号処理部１２から画像情報を受け取ると、その画像情報を所定形式の信号に復号し、
　情報変換部１４は、ＡＶデコーダ１３から画像情報およびＧＵＩ画像情報を受け取り、ＣＰＵ１７から通信線を介して送信されるＨＤＭＩモニタ４０の表示条件の設定に従い、ＣＰＵ１７からの指示に基づいて、入力された画像情報の画質、画像表示形式および解像度を変換し、変換された変換済画像情報をＨＤＭＩ送信部１５に送信し、また、情報変換部１４は、画像情報をアナログ信号でアナログモニタ５０に出力するために、画質および画像表示形式が変換された変換済画像情報をビデオエンコーダ１９に送信し、
　ＨＤＭＩケーブル３０にはＨＰＤ（Hot Plug Detector）があり、ＨＤＭＩ送信部１５は、このＨＰＤから、接続の有無の情報を受け取り、パーソナルコンピュータとＨＤＭＩモニタ４０との接続の有無を検出し、接続の有無の情報を、通信線を介してＣＰＵ１７に送信し、
　ＣＰＵ１７は、パーソナルコンピュータとＨＤＭＩモニタ４０との接続が有る旨の情報をＨＤＭＩ送信部１５から受け取ると、ＨＤＭＩモニタ４０からそのＨＤＭＩモニタ４０の条件情報を取得し、そして、ＣＰＵ１７は、情報変換部１４に対して、この条件情報により設定される表示条件に従って画像情報を変換するよう指示し、
　この条件情報にはＨＤＭＩモニタ４０の種類や同一のモニタであることを特定する特定情報が含まれ、
　記憶部１８は、ＨＤＭＩモニタ４０と接続する前の条件情報を記憶するものであり、
　パーソナルコンピュータに電源が入れられると、パーソナルコンピュータの各システムが初期化され、ＣＰＵ１７は、ＨＰＤからＨＤＭＩ送信部１５を介し、パーソナルコンピュータとＨＤＭＩモニタ４０との接続の有無の情報を受信するとともに、当該パーソナルコンピュータとＨＤＭＩモニタ４０との接続の有無を検出し、パーソナルコンピュータとＨＤＭＩモニタ４０とが接続されている場合には、ＣＰＵ１７は、パーソナルコンピュータとＨＤＭＩモニタ４０とが接続されている旨を検出し、
　ＣＰＵ１７がＨＤＭＩモニタ４０とが接続されていない旨を検出した場合には、当該ＣＰＵ１７は、通信線を介して予め記憶部１８に記憶されている、接続前の表示条件情報を読み込むとともに、情報変換部１４に、画像情報の表示条件をこの表示条件情報に基づいて設定させ、画像表示形式変換部１４２に、情報変換部１４において変換した画像情報を、ビデオエンコーダ１９、ビデオアンプ２０を介してアナログモニタ５０へアナログ信号で出力させ、
　ＣＰＵ１７は、パーソナルコンピュータとＨＤＭＩモニタ４０とが接続されている旨を検出した後、ＨＤＭＩモニタ４０から表示条件情報を含む条件情報を取得し、
　ＣＰＵ１７は、情報変換部１４に、ＤＶＤ記録媒体６０から読み取られた画像情報を、設定された表示条件に基づいて変換させ、当該変換させた画像情報を、ＨＤＭＩ送信部１５を介してＨＤＭＩモニタ４０に出力させ、
　ＨＤＭＩモニタ４０に画像情報を出力するコネクタと、アナログモニタ５０に画像情報を出力するコネクタを備えている
　パーソナルコンピュータ。」
　　
イ　補正後発明と刊行物１発明との対比
　補正後発明と刊行物１発明とを対比する。
　　
（ア）ディスプレイ
　補正後発明は、ディスプレイを備えているのに対し、刊行物１発明は、ディスプレイであるアナログモニタ５０へ画像情報（映像信号、後記（イ）参照）を出力するものの、ディスプレイを備えていない点で相違する。
　　
（イ）映像信号を出力するコネクタ
　刊行物１発明は、ＨＤＭＩケーブル３０を介してＨＤＭＩモニタ４０に画像情報を出力させるものであり、ＨＤＭＩモニタ４０に画像情報を出力するコネクタを備えている。
　また、刊行物１発明の画像情報は、ＤＶＤ記録媒体から読み取られ、
「信号処理部１２は、信号処理回路、復調回路および誤り訂正回路等の各回路によって、生成されたプログラムストリームをＭＰＥＧ形式の画像情報とＡＣ３形式の音声情報とからなるデジタル信号に分離し、
　分離された画像情報をＡＶデコーダ１３に送信し、
　ＡＶデコーダ１３は、信号処理部１２から画像情報を受け取ると、その画像情報を所定形式の信号に復号し、
　情報変換部１４は、ＡＶデコーダ１３から画像情報およびＧＵＩ画像情報を受け取り、ＣＰＵ１７から通信線を介して送信されるＨＤＭＩモニタ４０の表示条件の設定に従い、ＣＰＵ１７からの指示に基づいて、入力された画像情報の画質、画像表示形式および解像度を変換し、変換された変換済画像情報をＨＤＭＩ送信部１５に送信」
するものであり、また、刊行物１には、
「ＨＤＭＩは、画像情報の他、音声情報およびその他の情報も一のケーブルで送信できる規格である。さらに、ＨＤＭＩは、高品質のマルチチャンネル音声と高解像度の各種フォーマットの画像信号（映像信号）の伝送が可能である。」（段落【００５７】）
と記載されているから、画像情報は映像信号といえる。
　したがって、刊行物１発明の「ＨＤＭＩモニタ４０に画像情報を出力するコネクタ」は、「映像信号を出力するコネクタ」といえ、刊行物１発明は、「映像信号を出力するコネクタ」を備えているといえる。
　　
（ウ）前記ディスプレイ及び前記コネクタに対する映像信号の出力を制御するディスプレイドライバ
　刊行物１発明は、
「ＣＰＵ１７がＨＤＭＩモニタ４０とが接続されていない旨を検出した場合には、当該ＣＰＵ１７は、通信線を介して予め記憶部１８に記憶されている、接続前の表示条件情報を読み込むとともに、情報変換部１４に、画像情報の表示条件をこの表示条件情報に基づいて設定させ、画像表示形式変換部１４２に、情報変換部１４において変換した画像情報を、ビデオエンコーダ１９、ビデオアンプ２０を介してアナログモニタ５０へアナログ信号で出力させ、
　ＣＰＵ１７は、パーソナルコンピュータとＨＤＭＩモニタ４０とが接続されている旨を検出した後、ＨＤＭＩモニタ４０から表示条件情報を含む条件情報を取得し、
　ＣＰＵ１７は、情報変換部１４に、ＤＶＤ記録媒体６０から読み取られた画像情報を、設定された表示条件に基づいて変換させ、当該変換させた画像情報を、ＨＤＭＩ送信部１５を介してＨＤＭＩモニタ４０に出力させ」
るものである。
　上記（イ）のとおり、刊行物１発明の「画像情報」は、「映像信号」といえ、刊行物１発明の「ＣＰＵ１７」は、画像情報（映像信号）をディスプレイといえるアナログモニタ５０へ出力させ、画像情報（映像信号）をＨＤＭＩ送信部１５を介してＨＤＭＩモニタ４０に出力させ、刊行物１発明は、「ＨＤＭＩモニタ４０に画像情報を出力するコネクタ」を備えているから、「ＣＰＵ１７」は、「ディスプレイ及び前記コネクタに対する映像信号の出力を制御する」ものであり、「ディスプレイドライバ」といえる。
　したがって、刊行物１発明は、「ディスプレイ及び前記コネクタに対する映像信号の出力を制御するディスプレイドライバ」を備えているといえる。
　もっとも、上記（ア）のとおり、補正後発明は「ディスプレイ」を備えているのに対し、刊行物１発明は備えていない点で相違することに伴い、「ディスプレイ及び前記コネクタに対する映像信号の出力を制御するディスプレイドライバ」における「ディスプレイ」が、補正後発明においては「前記ディスプレイ」であるに対し、刊行物１発明においては「前記ディスプレイ」ではない点で相違する。
　　
（エ）映像データを復号して映像信号を生成する復号手段
　刊行物１発明において、
「ＡＶデコーダ１３は、信号処理部１２から画像情報を受け取ると、その画像情報を所定形式の信号に復号」
するから、「ＡＶデコーダ１３」は、「映像データを復号して映像信号を生成する復号手段」といえる。
　　
（オ）前記復号化手段が復号した映像信号に対して画質調整処理を行う画質調整手段
　刊行物１発明において、
「情報変換部１４は、ＡＶデコーダ１３から画像情報およびＧＵＩ画像情報を受け取り、ＣＰＵ１７から通信線を介して送信されるＨＤＭＩモニタ４０の表示条件の設定に従い、ＣＰＵ１７からの指示に基づいて、入力された画像情報の画質、画像表示形式および解像度を変換し、変換された変換済画像情報をＨＤＭＩ送信部１５に送信し、また、情報変換部１４は、画像情報をアナログ信号でアナログモニタ５０に出力するために、画質および画像表示形式が変換された変換済画像情報をビデオエンコーダ１９に送信」
するものであり、「入力された画像情報の画質、画像表示形式および解像度を変換」するから、「情報変換部１４」は、「前記復号化手段が復号した映像信号に対して画質調整処理を行う画質調整手段」といえる。
　　
（カ）映像信号の出力先が前記ディスプレイであるか前記コネクタであるか及び前記コネクタの接続している外部機器の種類に応じて、前記画質調整手段による前記映像信号の画質調整処理を切り換える切換手段
　刊行物１発明は、
「パーソナルコンピュータに電源が入れられると、パーソナルコンピュータの各システムが初期化され、ＣＰＵ１７は、ＨＰＤからＨＤＭＩ送信部１５を介し、パーソナルコンピュータとＨＤＭＩモニタ４０との接続の有無の情報を受信するとともに、当該パーソナルコンピュータとＨＤＭＩモニタ４０との接続の有無を検出し、パーソナルコンピュータとＨＤＭＩモニタ４０とが接続されている場合には、ＣＰＵ１７は、パーソナルコンピュータとＨＤＭＩモニタ４０とが接続されている旨を検出し、
　ＣＰＵ１７がＨＤＭＩモニタ４０とが接続されていない旨を検出した場合には、当該ＣＰＵ１７は、通信線を介して予め記憶部１８に記憶されている、接続前の表示条件情報を読み込むとともに、情報変換部１４に、画像情報の表示条件をこの表示条件情報に基づいて設定させ、画像表示形式変換部１４２に、情報変換部１４において変換した画像情報を、ビデオエンコーダ１９、ビデオアンプ２０を介してアナログモニタ５０へアナログ信号で出力させ、
　ＣＰＵ１７は、パーソナルコンピュータとＨＤＭＩモニタ４０とが接続されている旨を検出した後、ＨＤＭＩモニタ４０から表示条件情報を含む条件情報を取得し、
　ＣＰＵ１７は、情報変換部１４に、ＤＶＤ記録媒体６０から読み取られた画像情報を、設定された表示条件に基づいて変換させ、当該変換させた画像情報を、ＨＤＭＩ送信部１５を介してＨＤＭＩモニタ４０に出力させ」
るものである。
　また、「条件情報にはＨＤＭＩモニタ４０の種類や同一のモニタであることを特定する特定情報が含まれ」るものであり、刊行物１発明は、「ＨＤＭＩモニタ４０に画像情報を出力するコネクタ」を備えている。
　そうすると、刊行物１発明の情報変換部１４及びＣＰＵ１７は、
「ＣＰＵ１７がＨＤＭＩモニタ４０とが接続されていない旨を検出した場合には、当該ＣＰＵ１７は、通信線を介して予め記憶部１８に記憶されている、接続前の表示条件情報を読み込むとともに、情報変換部１４に、画像情報の表示条件をこの表示条件情報に基づいて設定させ、画像表示形式変換部１４２に、情報変換部１４において変換した画像情報を、ビデオエンコーダ１９、ビデオアンプ２０を介してアナログモニタ５０へアナログ信号で出力させ、
　ＣＰＵ１７は、パーソナルコンピュータとＨＤＭＩモニタ４０とが接続されている旨を検出した後、ＨＤＭＩモニタ４０からＤＤＣを介して表示条件情報を含む条件情報を取得し、
　ＣＰＵ１７は、情報変換部１４に、ＤＶＤ記録媒体６０から読み取られた画像情報を、設定された表示条件に基づいて変換させ、当該変換させた画像情報を、ＨＤＭＩ送信部１５を介してＨＤＭＩモニタ４０に出力させる」
から、映像信号の出力先に応じて画像調整手段といえる情報変換部１４による処理を変えているので、「映像信号の出力先」「に応じて前記画質調整手段による前記映像信号の画質調整処理を切り換える切換手段」といえる。
　そして、「ＣＰＵ１７がＨＤＭＩモニタ４０とが接続されていない旨を検出した場合」は、「映像信号の出力先が前記ディスプレイであるか・・・に応じて」といえ、
「パーソナルコンピュータとＨＤＭＩモニタ４０とが接続されている旨を検出した後、ＨＤＭＩモニタ４０からＤＤＣを介して表示条件情報を含む条件情報を取得し、
　ＣＰＵ１７は、情報変換部１４に、ＤＶＤ記録媒体６０から読み取られた画像情報を、設定された表示条件に基づいて変換させ」は、「条件情報にはＨＤＭＩモニタ４０の種類や同一のモニタであることを特定する特定情報が含まれ」るものであり、情報変換部１４は、上記（オ）のとおり「前記復号化手段が復号した映像信号に対して画質調整処理を行う画質調整手段」といえるから、「映像信号の出力先が・・・前記コネクタであるか及び前記コネクタの接続している外部機器の種類に応じて、」画質調整処理をしているといえる。
　したがって、刊行物１発明の情報変換部１４及びＣＰＵ１７は、「映像信号の出力先が前記ディスプレイであるか前記コネクタであるか及び前記コネクタの接続している外部機器の種類に応じて、前記画質調整手段による前記映像信号の画質調整処理を切り換える切換手段」といえる。
　もっとも、上記（ア）のとおり、補正後発明は「ディスプレイ」を備えているのに対し、刊行物１発明は備えていない点で相違することに伴い、「前記ディスプレイ」が、補正後発明に備えられているのに対し、刊行物１発明に備えられていない点で相違する。
　　
（キ）前記画質調整手段は、少なくとも映像信号の出力先が前記ディスプレイである場合に映像信号に対して画質調整を行う
　刊行物１発明は、　
「ＣＰＵ１７がＨＤＭＩモニタ４０とが接続されていない旨を検出した場合には、当該ＣＰＵ１７は、通信線を介して予め記憶部１８に記憶されている、接続前の表示条件情報を読み込むとともに、情報変換部１４に、画像情報の表示条件をこの表示条件情報に基づいて設定させ、画像表示形式変換部１４２に、情報変換部１４において変換した画像情報を、ビデオエンコーダ１９、ビデオアンプ２０を介してアナログモニタ５０へアナログ信号で出力させ」るものであり、
　上記（オ）のとおり、「情報変換部１４」は、「前記復号化手段が復号した映像信号に対して画質調整処理を行う画質調整手段」といえるから、
　刊行物１発明は、「前記画質調整手段は、少なくとも映像信号の出力先が前記ディスプレイである場合に映像信号に対して画質調整を行う」ものといえる。
　もっとも、上記（ア）のとおり、補正後発明は「ディスプレイ」を備えているのに対し、刊行物１発明は備えていない点で相違することに伴い、「前記ディスプレイ」が、補正後発明に備えられているのに対し、刊行物１発明に備えられていない点で相違する。
　　
（ク）情報処理装置
　刊行物１発明はパーソナルコンピュータであるから、情報処理装置といえる。
　　
ウ　一致点、相違点
　そうすると、補正後発明と刊行物１発明の一致点、相違点は次のとおりである。
　　
［一致点］
　映像信号を出力するコネクタと、
　ディスプレイ及び前記コネクタに対する映像信号の出力を制御するディスプレイドライバと、
　映像データを復号して映像信号を生成する復号手段と、
　前記復号化手段が復号した映像信号に対して画質調整処理を行う画質調整手段と、
　映像信号の出力先が前記ディスプレイであるか前記コネクタであるか及び前記コネクタの接続している外部機器の種類に応じて、前記画質調整手段による前記映像信号の画質調整処理を切り換える切換手段と
を備え、
　前記画質調整手段は、少なくとも映像信号の出力先が前記ディスプレイである場合に映像信号に対して画質調整を行う
ことを特徴とする情報処理装置。
　　
［相違点］
　補正後発明は、ディスプレイを備えているのに対し、刊行物１発明は、ディスプレイへ映像信号を出力するものの、ディスプレイを備えておらず、
　この相違点に伴い、
　「ディスプレイ及び前記コネクタに対する映像信号の出力を制御するディスプレイドライバ」における「ディスプレイ」が、補正後発明においては「前記ディスプレイ」であるに対し、刊行物１発明においては「前記ディスプレイ」ではなく、
　「切り換え手段」における「前記ディスプレイ」及び
　「前記画質調整手段は、少なくとも映像信号の出力先が前記ディスプレイである場合に映像信号に対して画質調整を行う」における「前記ディスプレイ」が、補正後発明に備えられているのに対し、刊行物１発明に備えられていない点で相違する。
　　
（６）相違点の判断等 
ア　刊行物２の記載
　原査定の拒絶の理由に引用された特開２００４−１７８４１０号公報（上記引用文献６、以下「刊行物２」という。）には、図面と共に次に掲げる事項が記載されている。
　　
「　　【０００１】
　　【発明の属する技術分野】
　本発明は、外部表示装置の接続インタフェースを備えた情報処理装置および表示装置切り替え方法に関する。
　　　【０００２】
　　【従来の技術】
　コンピュータシステムに於いては、標準装備された表示装置（内部ディスプレイと称す）に表示されている画像を予め特定した外部ディスプレイに切り替えて表示する機能を有している。（例えば、特許文献１参照）。
　　　【０００３】
　しかしながら従来のこの種表示装置切り替え機構に於いては、表示切り替え要求に従い、一意に表示切り替えの処理を実行し、また、表示切り替えができない状態では単に上記要求を無効にするのみで、それらの各状態をユーザに通知する手段は有していなかった。
　　　【０００４】
　このため、従来では、上記表示切り替え処理が実行中である状態、表示切り替えができない条件下にある状態等をユーザが認識できないという問題があった。特に、コピープロテクト機能を備えた表示コンテンツ（例えばＤＶＤソフト）あるいは表示装置等を対象に、上記表示の切り替えを行う際は、その表示切り替えの可否を判定する処理、表示切り替えが可能な状態での表示情報の取得処理等が必要不可欠となるが、それらの処理に対して上記各状態をユーザに通知することができないという問題があった。」
　　
イ　相違点の判断
　刊行物２には、内部ディスプレイを有するコンピュータにおいて、表示されている画像を外部ディスプレイに表示することが記載されている（段落【０００２】）。また、表示コンテンツとしてＤＶＤソフトについても記載されている（段落【０００４】）。
　刊行物１発明におけるパーソナルコンピュータに刊行物２に記載された内部ディスプレイを有するコンピュータを適用することに困難性はない。
　刊行物１発明におけるパーソナルコンピュータは、ＨＤＭＩモニタ４０と接続されていない旨を検出した場合には、画像情報をアナログモニタ５０に出力し、ＨＤＭＩモニタ４０と接続されている旨を検出した場合には、画像情報をＨＤＭＩモニタ４０に出力するものである。刊行物１発明において、ＨＤＭＩモニタ４０は接続する場合や接続しない場合があるもので、増設するモニタであり、アナログモニタ５０は、ＨＤＭＩモニタを接続しない場合に使うモニタであり、通常に使うモニタである。
　また、刊行物２に記載された内部ディスプレイを有するコンピュータにおける内部ディスプレイは、通常に使うモニタであることは明らかである。
　そうすると、刊行物１発明に刊行物２に記載された内部ディスプレイを有するコンピュータを適用して、刊行物１発明におけるパーソナルコンピュータにディスプレイを備えるようにし、パーソナルコンピュータが、ＨＤＭＩモニタ４０と接続されていない旨を検出した場合に、画像情報（映像信号）を通常に使うアナログモニタ５０に出力することに代えて、パーソナルコンピュータが備えているディスプレイに出力するようにすることは、当業者にとって容易である。
　刊行物１発明におけるパーソナルコンピュータにディスプレイを備えるようにすることにより、
　「ディスプレイ及び前記コネクタに対する映像信号の出力を制御するディスプレイドライバ」における「ディスプレイ」が、刊行物１発明であるパーソナルコンピュータに備えられたものとなるから、「ディスプレイ」は「前記ディスプレイ」となり、
　「切り換え手段」における「前記ディスプレイ」及び
　「前記画質調整手段は、少なくとも映像信号の出力先が前記ディスプレイである場合に映像信号に対して画質調整を行う」における「前記ディスプレイ」が、刊行物１発明であるパーソナルコンピュータに備えられたものとなる。
　したがって、補正後発明は、刊行物１及び刊行物２に記載された発明に基づいて当業者が容易に想到できたものである。
　　
ウ　効果等 
　以上のように、相違点に係る構成は当業者が容易に想到できたものである。そして、補正後発明の構成は、上記のとおり当業者が容易に想到できたものであるところ、補正後発明が奏する効果は、その容易想到である構成から当業者が容易に予測できたものである。
　したがって、補正後発明は、刊行物１及び刊行物２に記載された発明に基づいて当業者が容易に発明することができたものであるから、特許法２９条２項の規定により特許出願の際独立して特許を受けることができない。 
　よって、本件補正は特許法１７条の２第６項において準用する同法１２６条５項の規定に違反している。 
 　 
３　まとめ 
　したがって、本件補正は、特許法第１７条の２第６項において準用する同法第１２６条第５項の規定に違反するので、同法第１５９条第１項において読み替えて準用する同法第５３条第１項の規定により却下すべきものである。
　よって、補正却下の決定の結論のとおり決定する。 
 　 
第３　本願発明について 
１　本願発明 
　平成２１年７月２１日付けの手続補正は、上記のとおり却下されたので、本願の請求項１〜請求項１０に係る発明は、平成２１年３月２３日付け手続補正により補正された明細書及び図面の記載からみて、その特許請求の範囲の請求項１〜請求項１０に記載した事項により特定されるとおりのものであるところ、請求項１に係る発明（以下「本願発明」という。）は次のとおりである。 
　　
「ディスプレイと、
　映像信号を出力するコネクタと、
　前記ディスプレイ及び前記コネクタに対する映像信号の出力を制御するディスプレイドライバと、
　映像データを復号して映像信号を生成する復号手段と、
　前記復号化手段が復号した映像信号に対して画質調整処理を行う画質調整手段と、
　映像信号の出力先が前記ディスプレイであるか前記コネクタであるかに応じて、前記画質調整手段による前記映像信号の画質調整処理を切り換える切換手段と
を備え、
　前記画質調整手段は、少なくとも映像信号の出力先が前記ディスプレイである場合に映像信号に対して画質調整を行うことを特徴とする情報処理装置。」
　　
２　引用文献
　原査定の拒絶の理由に引用された引用文献２の記載事項は、上記第２の２（４）に記載したとおりである。 
 　 
３　対比・判断
　本願発明は、補正後発明の 
「映像信号の出力先が前記ディスプレイであるか前記コネクタであるか及び前記コネクタの接続している外部機器の種類に応じて」の 
「及び前記コネクタの接続している外部機器の種類」の限定をなくしたものであり、その他は補正後発明と同じである。 
　引用文献２に記載された発明は、上記第２の２（５）アに記載した刊行物１発明と同じである。 
　本願発明を限定した補正後発明は、上記第２の２（５）イ〜（６）のとおり、引用文献２及び刊行物２（上記引用文献６）に記載された発明により当業者が容易に発明できたものであるから、同じ理由により本願発明は、引用文献２及び刊行物２（上記引用文献６）に記載された発明により当業者が容易に発明できたものである。 
　　
５　むすび 
　以上のとおり、本願の請求項１に係る発明は、引用文献２及び引用文献６に記載された発明に基づいて、当業者が容易に発明することができたものであるから、特許法第２９条第２項の規定により特許を受けることができない。
　したがって、残る請求項２〜請求項１０に係る発明について検討するまでもなく、本願は拒絶されるべきものである。
　　
　よって、結論のとおり審決する。